(57)【要約】【課題】給紙トレイの収納動作時の操作性を損なうことなく、給紙トレイの引き抜き時に生じる用紙へのダメージを抑制することができる給紙装置、給紙トレイ、及び、画像形成装置を提供する。【解決手段】用紙を収容し装置本体１に収納可能なトレイ本体２と、トレイ本体内で昇降可能な可動底板３と、用紙を前記トレイ本体から給紙するための給紙部材とを備え、トレイ本体内に収容された用紙を可動底板の上昇によって給紙部材に圧接させる給紙装置４０において、装置本体に設けられた第一部材１１と、第一部材と接触することで移動可能な、トレイ本体に設けられた第二部材４と、第二部材の移動によって可動底板を上昇させ、トレイ本体に設けられた駆動手段６と、装置本体からトレイ本体を引き出すときに第一部材と第二部材との接触を解除する解除手段９とを備える。【選択図】図４
2017019634.tif 000002
【特許請求の範囲】
【請求項１】
用紙を収容し装置本体に収納可能なトレイ本体と、前記トレイ本体内で昇降可能な可動底板と、用紙を前記トレイ本体から給紙するための給紙部材とを備え、前記トレイ本体内に収容された用紙を前記可動底板の上昇によって前記給紙部材に圧接させる給紙装置において、前記装置本体に設けられた第一部材と、前記第一部材と接触することで移動可能な、前記トレイ本体に設けられた第二部材と、前記第二部材の移動によって前記可動底板を上昇させ、前記トレイ本体に設けられた駆動手段と、前記装置本体から前記トレイ本体を引き出すときに前記第一部材と前記第二部材との接触を解除する解除手段とを備えることを特徴とする給紙装置。
【請求項２】
請求項１の給紙装置において、前記第一部材は、前記装置本体に対して一方向に回動可能に設けられ、前記第二部材は、前記トレイ本体が前記装置本体に収納されることで移動するスライダ部材であり、前記解除手段は、前記トレイ本体に対して回動自在に前記トレイ本体に設けられ、前記装置本体から前記トレイ本体を引き出すときに前記第一部材の一部を押圧することで前記第一部材を回動させ、前記第一部材と前記第二部材との接触を解除することを特徴とする給紙装置。
【請求項３】
請求項１又は２に記載の給紙装置において、前記駆動手段は、前記可動底板の下面に接するレバー部材と、前記レバー部材に固定されて回動する駆動回動軸とを有し、前記第二部材の移動によって前記駆動回転軸を回転させることを特徴とする給紙装置。
【請求項４】
請求項１乃至３いずれか一に記載の給紙装置において、前記第二部材と前記駆動手段とがバネ部材によって連結されていることを特徴とする給紙装置。
【請求項５】
用紙を収容し装置本体に収納可能なトレイ本体と、前記トレイ本体内で昇降可能な可動底板と、用紙を前記トレイ本体から給紙するための給紙部材とを備え、前記トレイ本体内に収容された用紙を前記可動底板の上昇によって前記給紙部材に圧接させる給紙手段と、像担持体と、前記像担持体表面に形成された潜像を可視化する現像手段とを備え、前記像担持体上に形成した画像を最終的に前記用紙に転移させる画像形成装置において、前記給紙手段として、請求項１乃至４のいずれか一に記載の給紙装置を用いたことを特徴とする画像形成装置。
【請求項６】
用紙を収容し装置本体に収納可能なトレイ本体と、前記トレイ本体内で昇降可能な可動底板とを備え、前記トレイ本体内に収容された用紙を前記トレイ本体から用紙を給紙するための給紙部材に前記可動底板の上昇によって圧接させる給紙トレイにおいて、前記装置本体に設けられた前記第一部材と接触することで移動可能な、前記トレイ本体に設けられた移動部材と、前記トレイ本体に設けられ、前記移動部材の移動によって前記可動底板を上昇させる駆動手段と、前記装置本体から前記トレイ本体を引き出すときに前記第一部材と前記第二部材との接触を解除する解除手段とを備えることを特徴とする給紙トレイ。
【発明の詳細な説明】
【技術分野】
【０００１】
本発明は、給紙装置、給紙トレイ、及び画像形成装置に関するものである。
【背景技術】
【０００２】
従来、用紙を収容し画像形成装置本体に収納可能なトレイ本体と、このトレイ本体内で昇降可能な可動底板とを備えた給紙トレイが知られている。この給紙トレイは、トレイ本体内の用紙を画像形成装置本体に搬送するための給紙ローラなどの搬送部材に対して、可動底板の上昇によってトレイ本体内に収容された用紙を圧接させることで、画像形成装置本体に用紙を供給可能な状態にしている。
【０００３】
この種の給紙トレイを備える給紙装置として、例えば、特許文献１には、次のような給紙装置が記載されている。この給紙装置は、トレイ本体としての給紙トレイを備え、この給紙トレイに可動底板と、可動底板を押し上げるための底板押し上げ部材とを備えている。また、本体装置側には底板押し上げ部材と係合し、回転可能なカップリングを備えている。
この給紙装置では、給紙トレイの装着動作によって本体装置側に設けられた加圧レバーが給紙トレイに押圧され、この加圧レバーに一端が固定された引っ張りスプリングが引っ張り力に逆らって引き伸ばされる。この引っ張りスプリングの他端はカップリングに設けられたアーム部材に固定されており、引っ張りスプリングの引っ張り力はアーム部材を介してカップリングに伝わる。このとき、カップリングの回転はストッパによって止められているため、引っ張りスプリングが徐々に伸張する。
【０００４】
さらに給紙トレイが本体装置側に挿入されると、装置本体側に設けられたカップリングに底板押し上げ部材が係合するタイミングでカップリングのストッパが解除される。これにより、スプリングの引っ張り力によってカップリングと底板押し上げ部材が回転し、可動底板を上昇させる。一方、給紙トレイを画像形成装置本体から引き抜く時は、底板押上げ部材がカップリングから外されることで可動底板に加わっていた押上げ力が解除され、可動底板が降下する。
この給紙装置では、給紙トレイの引き抜き動作の初期に、底板押し上げ部材がカップリングから外れて可動底板が降下するため、最上位の用紙が給紙コロに引きずられることなく、用紙にダメージが生じないとされている。
【発明の概要】
【発明が解決しようとする課題】
【０００５】
しかし、特許文献１の給紙装置は、可動底板を押し上げるための駆動手段であるスプリングが本体装置側に設けられている。このため、カップリングのストッパが解除されるまで給紙トレイの操作力によってスプリングに駆動力を貯めなければならず、給紙トレイの装着動作時の操作力が動作完了時に向けて徐々に増える。さらに、カップリングのロック解除によって可動底板が上昇するため、スプリングに駆動力を貯めるために徐々に増えた操作力が、カップリングのロック解除によって一気に減少する。このように、給紙トレイの操作力が急激に変化するため、操作性が悪くなるという問題があった。
【課題を解決するための手段】
【０００６】
上述した課題を達成するために、本発明は、用紙を収容し装置本体に収納可能なトレイ本体と、前記トレイ本体内で昇降可能な可動底板と、用紙を前記トレイ本体から給紙するための給紙部材とを備え、前記トレイ本体内に収容された用紙を前記可動底板の上昇によって前記給紙部材に圧接させる給紙装置において、
前記装置本体に設けられた第一部材と、前記第一部材と接触することで移動可能であり、前記トレイ本体に設けられた第二部材と、前記第二部材の移動によって前記可動底板を上昇させ、前記トレイ本体に設けられた駆動手段と、前記装置本体から前記トレイ本体を引き出す動作時に前記第一部材と前記第二部材との接触を解除する解除手段とを備えることを特徴とするものである。
【発明の効果】
【０００７】
本発明によれば、給紙トレイの装着動作時の操作性を損なうことなく、給紙トレイの引き抜き時に生じる用紙へのダメージを抑制することができる。
【図面の簡単な説明】
【０００８】
【図１】本実施形態に係る画像形成装置の概略構成図。
【図２】同画像形成装置の備える給紙トレイの動作を説明する図。
【図３】同給紙トレイの駆動手段の動作を説明する図。
【図４】同画像形成装置の備える給紙装置の概略構成図。
【図５】同給紙装置の動作の一例を示す図。
【図６】同給紙装置の他の動作の一例を示す図。
【発明を実施するための形態】
【０００９】
本発明を適用した画像形成装置の一実施形態について説明する。まず、画像形成装置の全体構成及び動作について説明する。
図１は、本実施形態に係る画像形成装置１００の概略構成図である。
本実施形態においては、画像形成装置１００の画像形成部３０として、像担持体である潜像担持体としての感光体３１のまわりに、帯電装置３２、現像手段である現像装置３４、転写装置３５、感光体クリーニング装置３６等を備えている。
【００１０】
また、画像形成部３０は、感光体３１にレーザー光３３を照射するための光書込ユニット、用紙上のトナー画像を定着する定着装置３７等を備えている。画像形成部３０の下方には給紙手段としての給紙装置である給紙部４０として、画像形成部３０で形成された画像を転写するための用紙Ｐを積載して収容するトレイ本体である給紙トレイ２と、給紙トレイ２から用紙Ｐを給紙して画像形成部３０に供給するよう搬送する給紙搬送手段とを備えている。給紙搬送手段は、給紙搬送部材である給紙ローラ４２、分離ローラ４３、用紙搬送経路４４、搬送ローラ４５、及び、レジストローラ４６等からなる。この給紙部４０については、後ほど詳述する。
【００１１】
上記構成の画像形成部３０では、感光体３１の回転とともに、まず帯電装置３２で感光体３１の表面を一様に帯電する。次いで、画像データに基づく光書込ユニットからのレーザー光３３を照射して感光体３１上に静電潜像を形成する。その後、現像装置３４によりトナーを付着させ静電潜像を可視像化することで感光体３１上にトナー画像を形成する。一方、給紙部４０では給紙搬送手段の給紙ローラ４２が回転して給紙トレイ２から用紙Ｐを繰り出して、この用紙Ｐを分離ローラ４３で１枚ずつ分離して用紙搬送経路４４に入れ、搬送ローラ４５で搬送してレジストローラ４６に突き当てて止める。そして、画像形成部３０のトナー画像形成のタイミングに合わせて、レジストローラ４６に突き当てて止めた用紙Ｐを感光体３１と転写装置３５とが対向する転写部に送り出す。
【００１２】
転写部では、感光体３１上のトナー画像が供給された用紙に転写される。トナー画像が転写された用紙は、定着装置３７によりトナー画像を定着後、機外へ排出される。一方、トナー画像転写後の感光体３１の表面は感光体クリーニング装置３６で残留トナーを除去して清掃して再度の画像形成に備える。
【００１３】
次に、本実施形態の画像形成装置が備える給紙部４０について詳述する。
まず、給紙部４０の備える可動底板の可動手段について説明する。
図２は、同画像形成装置の備える給紙トレイの動作を説明する図である。
図３は、同給紙トレイの駆動手段の動作を説明する図である。
【００１４】
図２に示すように、本実施形態の給紙部４０は、用紙Ｐを収容し、図中矢印Ａで示す方向に移動させることで画像形成装置１００内に脱着可能な給紙トレイ２を備えている。
この給紙トレイ２には、可動底板である底板３と、この底板３を昇降させる駆動手段、給紙トレイ２内で積載する用紙のサイズに合わせて調節移動可能な用紙規制部材として、サイドフェンス２１、及び、エンドフェンス２２とが設けられている。
底板３は給紙トレイ２内で昇降可能であり、この底板３を押し上げるための駆動手段として、底板３の下面に接するレバー部材である底板上昇レバー２０、この底板上昇レバーに固定されて回動する駆動回転軸である底板駆動軸８、後述するスプリングなどを備えている。底板駆動軸８は、一端に突起部８ａを備え、この突起部８ａにスプリングの一端が固定されている。
【００１５】
後述するスライダ４の移動によってスプリングが引っ張り力に逆らう方向に引き伸ばされると、突起部８ａを引っ張って底板駆動軸８を回転させ、この底板駆動軸８と一体となっている底板上昇レバー２０も回転する。底板上昇レバー２０が回転すると、図３に示すように、図中矢印方向へ底板３を上昇させる。
この給紙部４０では、底板３に積載された用紙が、底板３の上昇によって給紙ローラ４２に圧接させることで、給紙トレイ２から用紙を給紙して画像形成部３０に供給している。
【００１６】
このように、スライダ４の移動による底板の上昇を、底板上昇レバー２０を介して行うことで、底板３に底板駆動軸８を直接設けてスライダ４の移動によって底板駆動軸８を回転させることで底板３を上昇させる場合よりも、小さな駆動力で底板３を上昇させることができる。
なお、上述した説明では、底板３の駆動手段として、スプリング、底板駆動軸８、及び、底板上昇レバー２０とを用いた構成について説明したが、これに限らず、底板上昇レバー２０の変わりにカムを使用してもよい。また、底板３の回転支点をエンドフェンス２２の近くとし、底板３を直接回転させる構成としてもよい。
【００１７】
図４は、同画像形成装置１００における給紙部４０の備える給紙トレイ２近傍の概略構成を示す図である。図４（ａ）は、画像形成装置１００内に給紙トレイ２がセットされる途中の状態を上方から見た図であり、図４（ｂ）は、図４（ａ）に示すＸ−Ｘ断面を側方から見た図である。
また、給紙トレイ２には、底板３や駆動手段６などの他に、第二部材であるスライダ４と、解除手段であるロックストッパ９が設けられている。
【００１８】
スライダ４は、給紙トレイ２内を移動可能に設けられており、給紙トレイ２を装置本体１に収納する動作（以下、単に「給紙トレイの収納動作」という）を行うときに、後述する第一部材である揺動カム部材１１のカム面１１ｂと接触するカムフォロア５を備えている。
底板３の駆動手段６は、一端がスライダ４に固定されたスプリング７と、底板駆動軸８とを備えている。底板駆動軸８には突起部８ａが設けられ、この突起部８ａにスプリング７の他端が固定されている。
【００１９】
ロックストッパ９は、給紙トレイ２の下面に対して下方から接するように設けられ、支持軸９ａを中心に給紙トレイ２に対して回動自在に支持されている。この支持軸９ａと給紙トレイ２との接合部には、付勢手段としてねじりコイルバネ９ｂが設けられている。
また本実施形態におけるロックストッパ９は、給紙トレイ２の装着方向の先端部に斜面９ｃと、突起部９ｄとを有している。斜面９ｃは、給紙トレイ２の装着動作時に後述する揺動カム部材１１の曲げ部１１ｃと接触した時に、ロックストッパ９が揺動カム部材１１から離れる向きに回動するように設けられている。すなわち、斜面９ｃの表面が、ロックストッパ９の先端に向かって揺動カム部材１１から離れる向きに傾斜している。突起部９ｄは、給紙トレイ２の装着方向で斜面９ｃに対してロックストッパ９の後端側に位置している。
【００２０】
また、給紙部４０は、支持部材１０を介して装置本体１に支持される、第一部材である揺動カム部材１１を備えている。この揺動カム部材１１は、揺動カム部材１１の支持軸１１ａの両端が支持部材１０に回転可能に支持され、装置本体１に対して一方向に回動可能に設けられている。また、支持部材１０と揺動カム部材１１の支持軸１１ａとの接合部には、図４（ｂ）に示すように、付勢手段としてねじりコイルバネ１０ａを設けている。
【００２１】
また、揺動カム部材１１は、図４（ａ）に示すように、装置本体１に対して給紙トレイ２側に先端にカム面１１ｂを有している。揺動カム部材１１のカム面１１ｂは、給紙トレイ２の装着動作によってスライダ４の備えるカムフォロア５と接触した時に、駆動手段６によって底板３を上昇させる向きにカムフォロア５を移動させるように、給紙トレイ２の装着方向に対して斜めに設けられている。具体的には、給紙トレイ２の装着動作によってカムフォロア５との接触位置が、スプリング７を伸張させる向きに移動するように設けられている。
さらに、揺動カム部材１１は、図４（ｂ）に示すように、給紙トレイ２の下面に向かって曲げられた曲げ部１１ｃを有している。
【００２２】
次に、本実施形態における給紙部４０における給紙トレイ２の動作について説明する。
装置本体１に対して給紙トレイ２が途中までセットされると、図４（ａ）に示すように、スライダ４の有するカムフォロア５が、揺動カム部材１１のカム面１１ｂに接触する。そして、給紙トレイ２が図中矢印Ａで示す向きに移動することで、カム面１１ｂの斜面に沿ってカムフォロア５とカム面１１ｂとの接触位置が移動し、スライダ４を図中矢印Ｂに示す向きに移動させる。このとき、スライダ４に一端が固定されたスプリング７は、スライダ４の移動によって徐々に伸長し、スプリング７の他端に固定された突起部８ａを引っ張ることで底板駆動軸８を底板３が上昇する向きへ回転させる。これにより、給紙トレイ２の装着動作に伴って、底板３を徐々に上昇させる。
【００２３】
また、本実施形態においては、給紙トレイ２の装着動作に伴って、給紙トレイ２に設けられたロックストッパ９の斜面９ｃが、揺動カム部材１１の曲げ部１１ｃと接触する。この状態から更に給紙トレイ２が図中矢印Ａの向きに移動することで、斜面９ｃに沿って曲げ部１１ｃとの接触位置が移動し、ロックストッパ９の先端部を揺動カム部材１１から離れる向きに回動させる。
【００２４】
図５は、同給紙部４０における給紙トレイ２の動作の一例を示す図である。図５（ａ）は、図４に示す状態から給紙トレイ２が装置本体１にセットされた状態を上方から見た図であり、図５（ｂ）は、図５（ａ）に示すＸ−Ｘ断面を側方から見た図である。
装置本体１に対して給紙トレイ２が完全にセットされると、図５（ａ）に示すように、ロックストッパ９の突起部９ｄの位置が、揺動カム部材１１の曲げ部１１ｃを乗り越えた位置となる。具体的には、ロックストッパ９の斜面９ｃと曲げ部１１ｃとの接触位置が突起部９ｄまで移動することで、コイルバネ９ｂによってロックストッパ９の先端部が揺動カム部材１１に近づく向きに回動する。そして、ロックストッパ９の突起部９ｄの位置が、給紙トレイ２の装着方向に対して直交方向で曲げ部１１ｃと重なる位置となる。
一方、スライダ４は、カムフォロア５が揺動カム部材１１のカム面１１ｂに沿って移動することで、図中矢印Ｂに示す向きに移動し、このスライダ４の移動によってスプリング７と突起部８ａを介して底板駆動軸８を回転させることによって底板３を最大上昇位置まで上昇させる。
【００２５】
図６は、同給紙部４０における給紙トレイ２の他の動作の一例を示す図である。図６（ａ）は、図４に示す状態から装置本体１に対して給紙トレイ２を引き抜いた直後の状態を上方から見た図であり、図６（ｂ）は、図６（ａ）に示すＸ−Ｘ断面を側方から見た図である。
装置本体１に対して給紙トレイ２が完全にセットされた状態から、図６（ａ）に示すように、装置本体１に対して給紙トレイ２が図中矢印Ｃに示す向きに引き抜かれると、ロックストッパ９が揺動カム部材１１を次のように回動させる。すなわち、図６（ｂ）に示すように、ロックストッパ９の先端側に位置する突起部９ｄが、揺動カム部材１１の曲げ部１１ｃと接触することで、図中矢印Ｃに示す向きに曲げ部１１ｃを押し、揺動カム部材１１を、支持軸１１ａを回転支点として図中矢印Ｄに示す向きに回動させる。
【００２６】
このように揺動カム部材１１が回動することで、カムフォロア５の高さ位置に対して揺動カム部材１１のカム面１１ｂの高さ位置が変わり、カムフォロア５とカム面１１ｂとの連結が外される。すなわち、揺動カム部材１１が回動することで、カムフォロア５とカム面１１ｂとの接触が解除される。
カムフォロア５とカム面１１ｂとの接触が解除されると、図６（ａ）に示すように、スライダ４が図中矢印Ｅに示す向きに移動可能となる。これにより、底板３が自重、若しくは底板３に積載された用紙の重さによって下降する。
【００２７】
このように、本実施形態の給紙部４０においては、カムフォロア５とカム面１１ｂとの接触の解除タイミングを設定することで、給紙トレイの引き出し動作の初期に可動底板を下降させることができる。これにより、最上位の用紙に圧接する給紙部材によって用紙にダメージを与えることがない。
また、装置本体１に対して給紙トレイ２をから引き抜くときに、ロックストッパ９によって揺動カム部材１１を回動させることで、カムフォロア５とカム面１１ｂとの接触が解除している。このため、給紙トレイ２の収納動作時の途中から底板３を上昇させた場合でも、給紙トレイ２の引き出し動作の初期で底板３を下降させることができる。このため、給紙トレイ２に積載された用紙の最上位が給紙ローラ４２と圧接することで用紙にダメージを与えることがない。
したがって、本実施形態の給紙部４０においては、給紙トレイ２の収納動作時の操作性を損なうことなく、給紙トレイ２の引き抜き動作時に生じる用紙へのダメージを抑制することができる。
【００２８】
なお、上述した説明では、解除手段であるロックストッパ９を給紙トレイ２に対して回動自在とし、ねじりコイルバネ９ｂを備えた構成としているが、ロックストッパ９の構成としてはこれに限らない。例えば、アクチュエータを用いることで、給紙トレイ２が装置本体１に完全にセットされるタイミングでロックストッパ９を回動させ、給紙トレイ２の引き抜き動作時にロックストッパ９の突起部９ｄが、揺動カム部材１１の曲げ部１１ｃを押圧する位置に移動させてもよい。
また、上述した説明では、ロックストッパ９を給紙トレイ２に設けた構成について説明したが、これに限らず装置本体１側に設けても良い。
【００２９】
以上に説明したものは一例であり、次の態様毎に特有の効果を奏する。
（態様Ａ）
用紙を収容し装置本体１等の装置本体に収納可能な給紙トレイ２等のトレイ本体と、前記トレイ本体内で昇降可能な底板３等の可動底板と、用紙を前記トレイ本体から給紙するための給紙ローラ４２等の給紙部材とを備え、前記トレイ本体内に収容された用紙を前記可動底板の上昇によって前記給紙部材に圧接させる給紙部４０等の給紙装置において、前記装置本体に設けられた揺動カム部材１１等の第一部材と、前記第一部材と接触することで移動可能な、前記トレイ本体に設けられたスライダ４等の第二部材と、前記第二部材の移動によって前記可動底板を上昇させ、前記トレイ本体に設けられた駆動手段６等の駆動手段と、前記装置本体から前記トレイ本体を引き出すときに前記第一部材と前記第二部材との接触を解除するロックストッパ９等の解除手段とを備えることを特徴とする。
【００３０】
本態様においては、上記実施形態について説明したように、給紙トレイ２等のトレイ本体を装置本体から引き抜くときに、第一部材と第二部材との接触が解除手段によって解除されるため、第二部材の移動によって駆動手段を介して上昇していた可動底板が自重や積載された用紙の重みなどによって下降する。この解除タイミングの設定により、給紙トレイの引き出し動作の初期に可動底板を下降させることができ、最上位の用紙に圧接する給紙部材によって用紙にダメージを与えることがない。
【００３１】
また、駆動手段がトレイ本体に設けられているため、トレイ本体の収納動作時に、第一部材との接触によって第二部材が移動し、この第二部材の移動によって駆動手段が可動底板を上昇させることが可能となる。この第一部材と第二部材との接触タイミングの設定により、トレイ本体の収納動作の途中からでも可動底板を上昇させることができ、トレイ本体を装置本体に収納するときに要する操作力をほぼ一定、もしくは、わずかな上昇にとどめることができる。
したがって、給紙トレイの収納動作時の操作性を損なうことなく、給紙トレイの引き抜き時に生じる用紙へのダメージを抑制することができる。
【００３２】
（態様Ｂ）
態様Ａにおいて、揺動カム部材１１等の前記第一部材は、装置本体１等の前記装置本体に対して一方向に回動可能に設けられ、スライダ４等の前記第二部材は、給紙トレイ２等の前記トレイ本体が前記装置本体に収納されることで移動するスライダ部材であり、ロックストッパ９等の前記解除手段は、前記トレイ本体に対して回動自在に前記トレイ本体に設けられ、前記装置本体から前記トレイ本体を引き出すときに曲げ部１１ｃ等の前記第一部材の一部を押圧することで前記第一部材を回動させ、前記第一部材と前記第二部材との接触を解除する。
【００３３】
（態様Ｃ）
態様Ａ又はＢにおいて、駆動手段６等の前記駆動手段は、底板３等の前記可動底板の下面に接する底板上昇レバー２０等のレバー部材と、前記レバー部材に固定されて回動する底板駆動軸８等の駆動回動軸とを有し、スライダ４等の前記第二部材の移動によって前記駆動回転軸を回転させることを特徴とする。
【００３４】
本態様においては、上記実施形態について説明したように、底板３に駆動回転軸を直接設けてスライダ部材の移動によって駆動回転軸を回転させることで可動底板を上昇させる場合よりも、小さな駆動力で可動底板を可動することができる。
【００３５】
（態様Ｄ）
態様Ａ〜Ｃいずれか一において、前記第二部材と前記駆動手段とがバネ部材で連結されている。
【００３６】
（態様Ｅ）
用紙を収容し装置本体１等の装置本体に収納可能な給紙トレイ２等のトレイ本体と、前記トレイ本体内で昇降可能な底板３等の可動底板と、用紙を前記トレイ本体から給紙するための給紙ローラ４２等の給紙部材とを備え、前記トレイ本体内に収容された用紙を前記可動底板の上昇によって前記給紙部材に圧接させる給紙部４０等の給紙手段と、像担持体と、前記像担持体表面に形成された潜像を可視化する現像手段とを備え、前記像担持体上に形成した画像を最終的に前記用紙に転移させる画像形成装置１００等の画像形成装置において、前記給紙手段として、態様Ａ〜Ｄのいずれか一に記載の給紙装置を用いたことを特徴とする。
本態様においては、給紙トレイの挿入時の操作性を損なうことなく、給紙トレイの引き抜き時に生じる用紙へのダメージを抑制することができることから、用紙のダメージによる画像劣化の影響を受けず、操作性の高い画像形成装置を提供することができる。
【００３７】
（態様Ｆ）
用紙を収容し装置本体１等の装置本体に収納可能な給紙トレイ２等のトレイ本体と、前記トレイ本体内で昇降可能な底板３等の可動底板とを備え、前記トレイ本体内に収容された用紙を前記トレイ本体から用紙を給紙するための給紙ローラ４２等の給紙部材に前記可動底板の上昇によって圧接させる給紙トレイにおいて、前記装置本体に設けられた揺動カム部材１１等の第一部材と接触することで移動可能な、前記トレイ本体に設けられたスライダ４等の第二部材と、前記トレイ本体に設けられ、前記移動部材の移動によって前記可動底板を上昇させる駆動手段６等の駆動手段と、前記装置本体から前記トレイ本体を引き出すときに前記第一部材と前記第二部材との接触を解除する解除手段とを備えることを特徴とする。
【００３８】
本態様においては、給紙トレイ２等のトレイ本体を装置本体から引き抜くときに、第一部材と第二部材との接触が解除手段によって解除されるため、第二部材の移動によって駆動手段を介して上昇していた可動底板が自重や積載された用紙の重みなどによって下降する。この解除タイミングの設定により、給紙トレイの引き出し動作の初期に可動底板を下降させることができ、最上位の用紙に圧接する給紙部材によって用紙にダメージを与えることがない。
【００３９】
また、駆動手段がトレイ本体に設けられているため、トレイ本体の収納動作時に、第一部材との接触によって第二部材が移動し、この第二部材の移動によって駆動手段が可動底板を上昇させることが可能となる。この第一部材と第二部材との接触タイミングの設定により、トレイ本体の収納動作の途中からでも可動底板を上昇させることができ、トレイ本体を装置本体に収納するときに要する操作力をほぼ一定、もしくは、わずかな上昇にとどめることができる。
したがって、給紙トレイの収納動作時の操作性を損なうことなく、給紙トレイの引き抜き時に生じる用紙へのダメージを抑制することができる。
【符号の説明】
【００４０】
１ 装置本体
２ 給紙トレイ
３ 底板
４ スライダ
５ カムフォロア
６ 駆動手段
７ スプリング
８ 底板駆動軸
８ａ 突起部
９ ロックストッパ
９ａ 支持軸
９ｃ 斜面
９ｄ 突起部
１１ 揺動カム部材
１１ｂ カム面
１１ｃ 曲げ部
２０ 底板上昇レバー
３０ 画像形成部
３１ 感光体
３２ 帯電装置
３４ 現像装置
３５ 転写装置
３７ 定着装置
４０ 給紙部
４２ 給紙ローラ
１００ 画像形成装置
Ｐ 用紙
【先行技術文献】
【特許文献】
【００４１】
【特許文献１】特許第３６９５９５１号公報
【図１】
2017019634.tif 000003
【図２】
2017019634.tif 000004
【図３】
2017019634.tif 000005
【図４】
2017019634.tif 000006
【図５】
2017019634.tif 000007
【図６】
2017019634.tif 000008